(57)【要約】      （修正有）【課題】操作性が容易で低価格な装身具用連結金具。【解決手段】先端に挿入部４１を形成し、該挿入部の後方には係合部４２を設け、後端に装身具との接続部を備えたピン型金具と、第２構造体２２をはめ込むガイド部を備えた容器状の第１構造体２１と、第１構造体２１の該ガイド部に常態では第１構造体２１と所定の間隔を有してはめ込まれた蓋状の第２構造体２２とを軸着し、開方向に付勢するばね部材を前記第１構造体２１および第２構造体２２間に配設して開閉可能とした中空ハウジングを備えた挟持金具２０からなり、第１構造体２１と第２構造体２２のいずれか一方の側の端面には前記ピン型金具の挿入部を形成し、他方の側には前記ピン型金具の挿入口を有する係止部を形成して前記挿入部４１と連通可能とし、前記ばね部材２４の弾性によってピン型金具１１の前記係合部４２と係止部とが係合して抜け止めするようにしたことを特徴とする装身具用連結金具。【選択図】  図７
2008307305.tif 000002
【特許請求の範囲】
【請求項１】
先端に挿入部を形成し、該挿入部の後方には係合部を設け、後端には装身具との接続部を備えたピン型金具と、開放端部の表面を後退させて第２構造体をはめ込むやや小径のガイド部を備えた容器状の第１構造体と、第１構造体の該ガイド部に常態では第１構造体と所定の間隔を有してはめ込まれた蓋状の第２構造体とを長さ方向の端部側で軸着し、開方向に付勢するばね部材を前記第１構造体および第２構造体間に配設して開閉可能とした中空ハウジングを備えた挟持金具からなり、前記第１構造体と前記第２構造体のいずれか一方の側の端面には前記ピン型金具の挿入部を形成するとともに、他方の側には前記ピン型金具の挿入口を有する係止部を形成して前記挿入部と連通可能とし、ピン型金具の係合部が前記係止部に移動した段階で、前記ばね部材の弾性によってピン型金具の前記係合部と係止部とが係合して抜け止めするようになっており、挿入部とは反対側の端面には装身具との接続部を設けたことを特徴とする装身具用連結金具。
【請求項２】
前記第１構造体と前記第２構造体のいずれか一方の側の端面に形成した前記ピン型金具の挿入部は、ピン型金具の挿入筒からなり、該挿入筒の適所に形成された切欠き部に、蓋状の第２構造体に突設したピン型金具の挿入口を有する係止部をはめ込むことにより、ピン型金具の係合部が前記切欠き部に移動した段階で、蓋状の第２構造体に突設した係止部がピン型金具の前記係合部に係合して抜け止めするようにしたことを特徴とする請求項１に記載の装身具用連結金具。
【請求項３】
開方向に付勢するばね部材は、幅方向の両側にコイル部分を有し、両側のコイル部分を連結する形でクリップ状の先端が第１構造体および第２構造体に突き当たって開方向に付勢するよう構成されていることを特徴とする請求項１または２に記載の装身具用連結金具。
【発明の詳細な説明】
【技術分野】
【０００１】
本発明は、真珠ネックレス等の連珠装身具やチェーンネックレス等の環状装身具に使用されるクラスプと称する連結金具に関する。
【背景技術】
【０００２】
従来、真珠ネックレス等の連珠装身具に使用する連結具として、特開２０００−３１６６１６号公報（引用文献１参照）、特開２００１−３０９８０７号公報（引用文献２参照）に見られるような、先端に頭部を形成し、該頭部の後方には係合部を設け、後端には装身具との接続部を備えたオス金具と、下面が開口された蓋体と、上面が開口された底体を、それぞれの両側壁部を軸支し、閉方向に付勢するばね部材を配設して開閉可能に形成される中空箱型からなり、該中空箱型の一端面には前記オス金具の挿入部を形成するとともに前記蓋体と前記底体のいずれか一方あるいは双方には前記係合部との係止部を形成し、逆端面には装身具との接続部を備えたメス金具とから構成される装身具用連結金具が提案されている。
【特許文献１】特開２０００−３１６６１６号公報
【特許文献２】特開２００１−３０９８０７号公報
【発明の開示】
【発明が解決しようとする課題】
【０００３】
しかしながら前記連結金具においては、蓋体と底体のほぼ中間部位において、それぞれの両側壁部間に取り付けた支軸を介して軸着しているため、蓋体と底体とを指で挟んでオス金具とメス金具との係合を解除する際には支軸の片側を指で挟む必要があった。
その場合、連結金具が非常に小さいパーツであることと相まって、支軸の片側において蓋体と底体とを指で挟んでオス金具とメス金具との係合を解除するという操作が面倒で、特に首の後ろで操作しなければならない場合には非常に手間がかかってしまうという問題点があった。
【０００４】
本発明は、装着時における操作性が非常に容易な装身具用連結金具を提供することを目的とし、構造が簡単でその組み立ても容易であり、ひいてはコスト的にも低価格となる装身具用連結金具を提供することを目的とする。
【課題を解決するための手段】
【０００５】
上記目的を達成するため、請求項１に記載された装身具用連結金具に係る発明は、先端に挿入部を形成し、該挿入部の後方には係合部を設け、後端には装身具との接続部を備えたピン型金具と、開放端部の表面を後退させて第２構造体をはめ込むやや小径のガイド部を備えた容器状の第１構造体と、第１構造体の該ガイド部に常態では第１構造体と所定の間隔を有してはめ込まれた蓋状の第２構造体とを長さ方向の端部側で軸着し、開方向に付勢するばね部材を前記第１構造体および第２構造体間に配設して開閉可能とした中空ハウジングを備えた挟持金具からなり、前記第１構造体と前記第２構造体のいずれか一方の側の端面には前記ピン型金具の挿入部を形成するとともに、他方の側には前記ピン型金具の挿入口を有する係止部を形成して前記挿入部と連通可能とし、ピン型金具の係合部が前記係止部に移動した段階で、前記ばね部材の弾性によってピン型金具の前記係合部と係止部とが係合して抜け止めするようになっており、挿入部とは反対側の端面には装身具との接続部を設けたことを特徴とする。
【０００６】
請求項２に記載された装身具用連結金具に係る発明において、前記第１構造体と前記第２構造体のいずれか一方の側の端面に形成した前記ピン型金具の挿入部は、ピン型金具の挿入筒からなり、該挿入筒の適所に形成された切欠き部に、蓋状の第２構造体に突設したピン型金具の挿入口を有する係止部をはめ込むことにより、ピン型金具の係合部が前記切欠き部に移動した段階で、蓋状の第２構造体に突設した係止部がピン型金具の前記係合部に係合して抜け止めするようにしたことをも特徴とする。
【０００７】
請求項３に記載された発明において、前記開方向に付勢するばね部材は、幅方向の両側にコイル部分を有し、両側のコイル部分を連結する形でクリップ状の先端が第１構造体および第２構造体に突き当たって開方向に付勢するよう構成されていることを特徴とする。
【発明の効果】
【０００８】
本発明に係る装身具用連結金具によれば、ピン型金具を挟持金具に挿入するだけでネックレス等の環状装身具の連結ができ、また挟持金具をその位置を問わずに押圧するだけで開放ができるため、操作性が非常に容易となる。
また、構造が非常に簡単なため、大幅に小型化することが可能であり、コスト的にも低価格な装身具用連結金具を提供することができる。
さらに、容器状の第１構造体の開放端部の表面を後退させることによって形成した第２構造体をはめ込むやや小径のガイド部の表面に、商標等のマークや素材を示す表示、記念の文字等を刻印することができ、装身具用連結金具の表面に刻印しなければならない従来例に比してその装飾性を損なって商品価値を減じてしまうおそれがない。
【発明を実施するための最良の形態】
【０００９】
以下、図面に基づき本発明の装身具用連結金具を詳細に説明する。
図１は本発明に係る装身具用連結金具の１実施例を示す平面図、図２はその側面図、図３は挟持金具を構成する容器状の第１構造体および蓋状の第２構造体の分解状態の側面図、図４は該分解状態の展開図、図５は該分解状態の断面図、図６はピン型金具の斜視図、図７はピン型金具を挟持金具に挿入する段階の断面図、図８はピン型金具を挟持金具に装着した状態の断面図である。
【００１０】
本実施例にかかる装身具用連結金具１０は、図１ないし図６に示すように、丸棒体からなるピン型金具１１と中空ハウジングからなる挟持金具２０とから構成されており、それぞれ真珠ネックレスやネックレスチェーン等の装身具の両端に接続され、それらを連結して身につけるために環状とするものである。
そして該挟持金具２０は、図３ないし図５に示すように、容器状の第１構造体２１と蓋状の第２構造体２２とを、その端部で支軸２３によって軸着した開閉可能な中空ハウジングからなり、前記第１構造体２１および第２構造体２１間には、ばね部材２４を配置して常態において開方向に付勢している。
【００１１】
より詳しくは、容器状の第１構造体２１には、その開放端部の表面を後退させることによって第２構造体２２をはめ込むやや小径のガイド部２５が形成してあり、蓋状の第２構造体２２は該ガイド部２５の外側にスライド可能にはめ込まれている。
ガイド部２５の表面には、商標等のマークや素材を示す表示、記念の文字等の刻印２６を施すことができる。
【００１２】
また挟持金具２０の該中空ハウジングの一方の側の端面には前記ピン型金具１１の挿入部２７を形成している。そして、前記容器状の第１構造体２１は、前記ピン型金具１１の挿入部２７にピン型金具１１の外径よりやや大きい内径の挿入筒３１が設けられ、該挿入筒３１の適所には所定幅の切欠き部３２が形成してある。
他方、蓋状の第２構造体２２には、前記容器状の第１構造体２１の切欠き部３２に対応する位置に、ピン型金具１１の挿入口３４を有するリング状の係止部３３が突設してあり、この係止部３３は第１構造体２１の切欠き部３２にはめ込まれている。
【００１３】
ここでピン型金具１１は、図６に示すように先端に丸棒からなる本体を先細状とした挿入部４１を形成し、該挿入部４１の後方には溝状をなす係合部４２を設け、後端には装身具との接続部４３を備えたものである。該環状の接続部４３の通孔には、糸組みがされた後の真珠ネックレス等の両端から突出されるネックレス糸が挿通、締結される。
【００１４】
したがって図７に示すように、挟持金具２０の前記ピン型金具１１の挿入部２７に向かってピン型金具１１の先端を差し込み、容器状の第１構造体２１に設けたピン型金具１１の挿入筒３１へ押し込む。その際、切欠き部３２の位置において、蓋状の第２構造体２２のリング状の係止部３３を通過するが、該係止部３３がばね部材２４の付勢力によって開方向にずれていても、ピン型金具１１の押し込む力がばね部材２４の弾性に抗して該係止部３３をピン型金具１１が通過できる位置に移動させる。
【００１５】
そのまま、図８に示す位置までピン型金具１１を押し込むと、ピン型金具１の係合部４２が前記切欠き部３２に移動した段階で、蓋状の第２構造体２２に突設した前記係止部３３がばね部材２４の弾性によってピン型金具１１の前記係合部４２に係合し、ピン型金具１１を挟持金具２０によって確実に抜け止めすることができるようになる。
【００１６】
ピン型金具１１を挟持金具２０から抜き取るには、前記第１構造体２１および第２構造体２１を挟んでばね部材２４の弾性に抗して押圧するだけでよい。その際、蓋状の第２構造体２２のリング状の係止部３３がピン型金具１１が通過できる位置に移動するので、前記係止部３３はピン型金具１１の前記係合部４２から外れ、ピン型金具１１はそのまま無理なく挟持金具２０から抜き取ることができる。
【００１７】
軸着位置において、容器状の第１構造体２１の端部には支軸２３を挿通する突条５１が、また蓋状の第２構造体２２の端部の側壁には支軸２３を挿通する軸孔５２がそれぞれ形成されている。そして、第２構造体２２の側壁の間に前記突条５１をはめ込んで支軸２３を挿通固定することによって、容器状の第１構造体２１と蓋状の第２構造体２２とは支軸２３を介して開閉可能に軸着される。
容器状の第１構造体２１と蓋状の第２構造体２２の他端は、適宜手段で開放しないよう係止されている。この係止手段としては、両者を貫通する抜け止めピンや係合用の爪を介して行なったり、前期支軸２３による軸着位置で両者の開放角度を制限したりすること等が挙げられる。
【００１８】
容器状の第１構造体２１と蓋状の第２構造体２２との中空ハウジング内には、先端をそれぞれ９０度上方に折り曲げたほぼコの字状のコイルばねからなるばね部材２４を収容している。このばね部材２４は中空ハウジング内の適所に固定されても、また遊びをもたせた状態で取り付けてもよい。
【００１９】
いずれにしても、容器状の第１構造体２１と蓋状の第２構造体２２とをその端部側において支軸２３を介して開閉可能に軸着するとともに、容器状の第１構造体２１と蓋状の第２構造体２２との中空ハウジング内にほぼコの字状のコイルばねからなるばね部材２４を収容したものである。
こうすることにより、挟持金具２０は容器状の第１構造体２１と蓋状の第２構造体２２のどの位置において挟んでもよく、容器状の第１構造体２１と蓋状の第２構造体２２とをばね部材２４の弾性に抗して押圧することができる。
そうすれば、蓋状の第２構造体２２のリング状の係止部３３がピン型金具１１が通過できる位置に移動し、前記係止部３３はピン型金具１１の前記係合部４２から外れ、ピン型金具１１はそのまま無理なく挟持金具２０から抜き取ることができる。
【産業上の利用可能性】
【００２０】
本発明は、真珠ネックレス等の連珠装身具やチェーンネックレス等の環状装身具に使用されるクラスプと称する装身具用連結金具に適用することができる。
また本発明の装身具用連結金具は、その他のペンダントやブローチ、その他の装身具のみならず、眼鏡枠の飾りの取り付け部分や補聴器等の飾りの取り付け部分等における連結金具にも採用できることはいうまでもない。
さらに、容器状の第１構造体と蓋状の第２構造体の双方に、図１ないし図３に示すような所定のモチーフの図柄を形成することにより、より装飾性が高く表裏表面を装飾部分として使用することが可能な装身具用連結金具を提供することができる。
【図面の簡単な説明】
【００２１】
【図１】本発明に係る装身具用連結金具の１実施例を示す平面図である。
【図２】その側面図である。
【図３】挟持金具を構成する容器状の第１構造体および蓋状の第２構造体の分解状態の側面図である。
【図４】該分解状態の展開図である。
【図５】該分解状態の断面図である。
【図６】ピン型金具の斜視図である。
【図７】ピン型金具を挟持金具に挿入する段階の断面図である。
【図８】ピン型金具を挟持金具に装着した状態の断面図である。
【符号の説明】
【００２２】
１０  装身具用連結金具
１１  ピン型金具
２０  挟持金具
２１  容器状の第１構造体
２２  蓋状の第２構造体
２３  支軸
２４  ばね部材
２５  ガイド部
２６  刻印
２７  挿入部
３１  挿入筒
３２  切欠き部
３３  係止部
４１  挿入部
４２  係合部
４３  接続部
５１  突条
５２  軸孔
【図１】
2008307305.tif 000003
【図２】
2008307305.tif 000004
【図３】
2008307305.tif 000005
【図４】
2008307305.tif 000006
【図５】
2008307305.tif 000007
【図６】
2008307305.tif 000008
【図７】
2008307305.tif 000009
【図８】
2008307305.tif 000010